【事件の表示】
　特願２００３−１５０８６１「携帯端末装置」拒絶査定不服審判事件〔平成１６年１２月１６日出願公開、特開２００４−３５５２２９〕について、次のとおり審決する。
【結　論】
　本件審判の請求は、成り立たない。
【理　由】
第１．手続の経緯
　本願は、平成１５年５月２８日の出願であって、平成２０年２月７日付けで拒絶査定がなされ、これに対して、平成２０年３月１３日に拒絶査定不服審判が請求されたものである。
　
　
第２．本願発明
　本願の請求項３にかかる発明（以下、「本願発明」という。）は、平成２０年１月２１日付けの手続補正書の請求項３に記載された事項により特定される以下のとおりのものである。　
　
「【請求項３】　操作部による文字の入力操作に対応して表示部に文字を出力する携帯端末装置であって、
　前記操作部により入力する文字の種類を変更する複数の入力モードを備え、
　自装置の傾斜角を検出する傾斜角検出部と、
　前記傾斜角検出部の検出する傾斜角を記憶する記憶部と、
　前記操作部による文字の入力操作中に、前記傾斜角検出部の検出する傾斜角を基準傾斜角として前記記憶部に記憶させた後、傾斜角検出部の検出する傾斜角が変化して、この傾斜角と記憶部に記憶された基準傾斜角との相対角度が所定の角度よりも大きくなった場合に、前記入力モードを切替えるように制御する制御部と
　を備えることを特徴とする携帯端末装置。」
　
　
第３．刊行物の記載事項及び引用発明　
　原査定の拒絶の理由に引用された特開２００１−２０２１９１号公報（以下、「刊行物１」という。）には、図面とともに、以下の事項が記載されている。
　
（ａ）段落番号【００１５】
「図１は、プラスチック等の好適な素材からなるケース１０８を含むパームトップコンピュータ１００を表す。ケース１０８は、フロントパネル１１０と、左側面パネル１１２と、右側面パネル１１４と、裏面パネルとを備える。フロントパネル１１０には、触覚を検出するデジタイザパッド１０３がはめ込まれて（fit）いる。このデジタイザパッド１０３は、ペン又は指によるプレス操作やそれらの動きを検出する。図１（ａ）に示す態様では、デジタイザパッド１０３は情報をユーザに表示するディスプレイ１０２とユーザ入力領域１０４とを覆っている。ユーザ入力領域１０４は、テキストを入力する際に使われる。異なる態様においては、デジタイザパッド１０３はユーザ入力領域１０４のみを覆う。さらに別の態様では、デジタイザパッド１０３は、ディスプレイとユーザ入力領域の両方に使用される汎用領域（homogenous area）をカバーする。デジタイザパッド１０３に覆われるその他の領域の例も使用されることは、この技術分野における通常の能力を有する者にとって認識可能なことである。」
　　　　　
（ｂ）段落番号【００５０】
「他の例においては、センサ８２０が連続的に押下されると、昇順で一連の入力モードが順次切り換えられ（例えば、アルファモード、大文字モード、
数字モード、記号モード、アルファモードの順など）、センサ８２２により降順で入力モードを切り換え（例えばアルファモード、記号モード、数字モード、大文字モード、アルファモードの順など）られる。」
　　
（ｃ）段落番号【００５８】
「図１１（ｂ）に示した他の実施形態では、ダイヤル１００８がペン１００２のボタン１００４と同様の位置に配置される。このダイヤルを回転させることにより、パームトップコンピュータに対する種々の入力モードの切り換えの指示が行われる。ダイヤル１００８を押下すると、文字入力のための所定モードが選択される。押下及び回転により入力モードを切り換える他の設定については、既に説明した実装により行われる。特に図４、１０（ａ）、１０（ｂ）及び１１（ａ）を用いて説明した事項を参照されたい。」
　　　
（ｄ）段落番号【００５９】　
「［傾斜コントロール］本発明に従って構成されるパームトップコンピュータの別の例示的実施形態では、１又はそれ以上の向きにコンピュータを傾ける（tilt）ことによって入力モードの選択を行う。この機能を備えるために、１つ又はそれ以上の加速度センサ（accelerometers）がパームトップコンピュータに取り付けられる。アナログデバイセズ社が製造するADXL202（商標）加速度センサがここで用いられるものの一例であるが、他の加速度センサでも同様に利用可能であることが、当業者には認識できるであろう。」
　　　　
（ｅ）段落番号【００６０】　
「ある実施形態では、１つまたはそれ以上のADXL202（商標）加速度センサが図１のパームトップコンピュータ１００のケース１０８に取り付けられている。加速度センサは、ボタン１１８の位置で用いられる。加速度センサは、Ｙ軸１４０と、このＹ軸に実質的に直交するＸ軸１４２に長手方向を向けて配置され、２つの軸方向の傾きをそれぞれ検出する。この方法では、例えば、コンピュータ１００を特定の方向に（例えば時計回りに）Ｙ軸に沿って傾けると、ある入力モードが選択され、またコンピュータ１００を別の方向に（例えば反時計回りに）Ｙ軸に沿って傾けると、別の入力モードが選択される。同様に、パームトップコンピュータ１００をＸ軸１４２に対して時計回り又は反時計回り方向に傾けると、さらに別の入力モードが選択される。さらに多くの加速度センサが適切な位置に取り付けられて含められると、さらに付加的な入力モードの選択がＸ、Ｙその他の軸に対する傾きによって行われる。傾きの方向に対して種々の入力モードが関連づけられることは、これらの説明から当業者には理解されるであろう。」
　　　　
（ｆ）段落番号【００６１】　
「加速度センサは、本発明の他の例示的実施形態として既に説明したように、ソフトウエア的及び／又はハードウエア的に入力モードの選択のために用いられる。ADXL202（商標）加速度センサを用いると、デジタルのＸ及びＹ出力ピンが直近に選択されていたモードの識別のために備えられている。これらの出力は、パームトップコンピュータ１００に内蔵されたプロセッサに直接的に接続されて、入力モードの選択及び切り換えのために用いられる。または、Ｘ及びＹピンの出力ビットは、記録されて（clockされて）、ソフトウエア制御による切り換えのために、レジスタのステータスビットとして蓄積される。」
　　　　
　したがって、刊行物１には次の発明（以下、「引用発明」という。）が記載されていると認められる
　　　　　
「　テキストを入力する際に使われるユーザ入力領域１０４と情報をユーザに表示するディスプレイ１０２を備え、１又はそれ以上の向きにコンピュータを傾ける（tilt）ことによって文字入力のための入力モード（アルファモード、大文字モード、数字モード、記号モードなど）の選択を行うパームトップコンピュータであって、
　Ｙ軸１４０と、このＹ軸に実質的に直交するＸ軸１４２に長手方向を向けて配置され、２つの軸方向の傾きをそれぞれ検出する加速度センサを備え、
　加速度センサは、ソフトウエア的及び／又はハードウエア的に入力モードの選択のために用いられ、　
　パームトップコンピュータ１００を特定の方向に（例えば時計回りに）Ｙ軸に沿って傾けると、ある入力モードが選択され、またコンピュータ１００を別の方向に（例えば反時計回りに）Ｙ軸に沿って傾けると、別の入力モードが選択され、同様に、パームトップコンピュータ１００をＸ軸１４２に対して時計回り又は反時計回り方向に傾けると、さらに別の入力モードが選択される　
　パームトップコンピュータ。」
　
　
第４．本願発明と引用発明の一致点・相違点　
　引用発明の「テキストを入力する際に使われるユーザ入力領域１０４」は、本願発明の「操作部」に相当する。
　引用発明の「情報をユーザに表示するディスプレイ１０２」は、本願発明の「表示部」に相当する。
　引用発明の「パームトップコンピュータ」は、本願発明の「携帯端末装置」に相当する。
　引用発明のパームトップコンピュータは、文字入力のための入力モード（アルファモード、大文字モード、数字モード、記号モード、アルファモードなど）の選択を行うから、本願発明のように、「前記操作部により入力する文字の種類を変更する複数の入力モードを備え」ている。
　引用発明の「Ｙ軸１４０と、このＹ軸に実質的に直交するＸ軸１４２に長手方向を向けて配置され、２つの軸方向の傾きをそれぞれ検出する加速度センサ」は、本願発明の「自装置の傾斜角を検出する傾斜角検出部」に相当する。
　引用発明の「パームトップコンピュータ」は、本願発明の「携帯端末装置」とは、「傾斜角検出部が検出した傾斜角に応じて、入力モードを切り替える」点において一致している。
　
　したがって、本願発明と引用発明の一致点・相違点は、以下のとおりである。　
　　　
［一致点］　
「操作部による文字の入力操作に対応して表示部に文字を出力する携帯端末装置であって、
　前記操作部により入力する文字の種類を変更する複数の入力モードを備え、
　自装置の傾斜角を検出する傾斜角検出部と、
　傾斜角検出部が検出した傾斜角に応じて、入力モードを切り替える制御部と
　を備えることを特徴とする携帯端末装置。」である点。　
　　
［相違点］　
（イ）本願発明の入力モードの切り替えは、前記操作部による文字の入力操作中に行われるのに対して、引用発明では、入力モードの切り替えがいつ行われるのか明らかでない点。
　　　　
（ロ）本願発明の携帯端末装置は、「前記傾斜角検出部の検出する傾斜角を記憶する記憶部」備えるのに対して、引用発明のパームトップコンピュータは、「前記傾斜角検出部の検出する傾斜角を記憶する記憶部」を有していない点。　
　
（ハ）本願発明の携帯端末装置は、前記傾斜角検出部の検出する傾斜角を基準傾斜角として前記記憶部に記憶させた後、傾斜角検出部の検出する傾斜角が変化して、この傾斜角と記憶部に記憶された基準傾斜角との相対角度が所定の角度よりも大きくなった場合に、前記入力モードを切替えるのに対して、引用発明では、パームトップコンピュータ１００を特定の方向に（例えば時計回りに）Ｙ軸に沿って傾けると、ある入力モードが選択され、またコンピュータ１００を別の方向に（例えば反時計回りに）Ｙ軸に沿って傾けると、別の入力モードが選択される点。　
　　
　　
第５．相違点の検討　
　　　
［相違点（イ）について］
　例えば、第１の入力モードで３文字入力した後、入力モードを第２の入力モードに切替えて、その後２文字入力するようなこと、すなわち「操作部による文字の入力操作中に、入力モードを切替える」ことは周知慣用であるから、引用発明において、ユーザ入力領域１０４による文字の入力操作中に、入力モードを切替えることは自明である。
　　　　
［相違点（ロ）及び（ハ）について］
　特開２００２−２２９７０７号公報の第１頁の要約欄に「該制御回路６では操作ボタン３押圧時の本体１の傾き(Θx,Θy)を基準にしてその後の本体１の傾きの変位(ｄΘx,ｄΘy)を求め、該傾きの変位(ｄΘx,ｄΘy)に応じて表示パネル２の表示を制御する。」と記載されているように、「角度に基づいて制御する場合に、基準となる角度からの角度の変位に応じて制御すること」は周知である。　
　したがって、引用発明において、パームトップコンピュータの基準となる傾きからの傾きの変位が、特定の方向に（例えば時計回りに）Ｙ軸に沿って傾けた変位であれば、ある入力モードが選択され、またコンピュータ１００を別の方向に（例えば反時計回りに）Ｙ軸に沿って傾けた変位であれば、別の入力モードが選択されるようにすることは、容易に想到できたことである。この「傾きの変位」が、本願発明の「傾斜角と基準傾斜角との相対角度」に相当する。　
　このように構成する際に、「パームトップコンピュータの基準となる傾き」については、実際の傾きと比較する必要があるから、記憶部に記憶しておくことは自明である。
　また、微少な変位であれば誤差と見なして無視することは技術常識であるから、「特定の方向に（例えば時計回りに）Ｙ軸に沿って傾けた変位か否か」については、変位に関してある閾値を決めておき、変位が該閾値を超えたか否かに基づいて判断することは自明である。この「閾値」が本願発明の「所定の角度」に相当する。
　したがって、相違点（ロ）及び（ハ）は、周知技術から容易に想到できたことである。
　
　また、相違点に基づく効果も、引用発明及び周知技術から予測可能な範囲のものである。
　
　　
第６．結び　
　以上のとおり、本願発明は、刊行物１に記載された発明及び周知技術に基づいて、当業者が容易に発明をすることができたものであるから、特許法第２９条第２項の規定により特許を受けることができない。
　したがって、他の請求項にかかる発明について論及するまでもなく、本願は拒絶されるべきものである。
　よって結論のとおり審決する。